(57)【要約】【課題】インク受理層の表面粗さを確実に小さくし、これにより高品質な印刷が可能な情報記録媒体を提供する。【解決手段】光記録媒体１０は、ダミー基板１１と、データを保持可能な機能層２１と、ダミー基板１１からみて機能層２１とは反対側に設けられた透明なインク受理層２４とを備え、ダミー基板１１の明度が８以上、彩度が４以下に規定されている。これにより、インク受理層２４とダミー基板１１との間にホワイトインク層等の着色層を介在させる必要がなくなる。このため、製造工程が簡略化される。さらに、ダミー基板１１の表面性がインク受理層２４に反映されることから、例えばダミー基板１１を射出成型法により作製すれば、インク受理層２４の表面の平均粗さ（Ｒａ）が極めて小さくなる。このため、インクジェット式のプリンタを用いて印刷を行った場合、銀塩写真に近い発色や光沢を得ることが可能となる。【選択図】図１
2005317193.tif 000002
【特許請求の範囲】
【請求項１】
支持基板と、データを保持可能な機能層と、前記支持基板からみて前記機能層とは反対側に設けられた透明なインク受理層とを備え、前記支持基板の明度が８以上、彩度が４以下である情報記録媒体。
【請求項２】
前記支持基板の明度が９以上、彩度が３以下である請求項１記載の情報記録媒体。
【請求項３】
前記支持基板の明度が９．２以上、彩度が０．５以下である請求項２記載の情報記録媒体。
【請求項４】
前記インク受理層の表面の平均粗さ（Ｒａ）が０．１μｍ以下である請求項１から３のいずれかに記載の情報記録媒体。
【請求項５】
前記インク受理層が前記支持基板の表面に形成されている請求項１から４のいずれかに記載の情報記録媒体。
【請求項６】
前記支持基板の表面の平均粗さ（Ｒａ）が０．１μｍ以下である請求項１から５のいずれかに記載の情報記録媒体。
【請求項７】
前記機能層からみて前記支持基板とは反対側に設けられ、厚さが前記支持基板とほぼ等しい光透過性基板をさらに備える請求項１から６のいずれかに記載の情報記録媒体。
【請求項８】
前記機能層からみて前記支持基板とは反対側に設けられ、厚さが前記支持基板よりも薄い光透過層をさらに備える請求項１から６のいずれかに記載の情報記録媒体。
【請求項９】
前記機能層が記録層を含んでいる請求項１から８のいずれかに記載の情報記録媒体。
【請求項１０】
前記記録層が有機色素を含んでいる請求項９記載の情報記録媒体。
【請求項１１】
前記記録層が相変化材料を含んでいる請求項９記載の情報記録媒体。
【発明の詳細な説明】
【技術分野】
【０００１】
本発明は情報記録媒体に関し、特に、光入射面とは反対側のレーベル面側に印刷を行うことが可能な情報記録媒体に関する。
【背景技術】
【０００２】
近年、大容量のデジタルデータを記録するための情報記録媒体として、ＣＤ（Compact Disc）やＤＶＤ（Digital Versatile Disc）に代表される光記録媒体が広く用いられている。特に、ユーザによるデータの記録が可能なタイプの光記録媒体が急速に普及している。記録が可能な光記録媒体を用いれば、画像データや音楽データのようにファイルサイズの大きなデジタルデータを簡単かつ安価に保存することができることから、多くのユーザによって利用されるに至っている。このようなタイプの光記録媒体が普及するに連れ、光入射面とは反対側の面（以下、「レーベル面」という）側にプリンタで印刷を行うことによってオリジナルの光記録媒体を作製したいという要望が高まり、これを実現可能な光記録媒体が開発され既に販売されている。
【０００３】
このような光記録媒体には、インクを定着させる「インク受理層」がレーベル面側に設けられている。インクジェット式のプリンタを用いてインク受理層にインクを供給することによってレーベル面側に印刷を行うことができる。
【０００４】
しかしながら、一般に光記録媒体への印刷品質は光沢紙への印刷品質に比べて低い。このため、高品質な印刷が可能なインクジェット式のプリンタの性能を十分に引き出せないという問題があった。この問題を解決すべく、特開２００２−２３７１０３号公報にはインク受理層の表面粗さが所定値以下に抑えられた光記録媒体が提案されている。
【０００５】
インク受理層の表面粗さをより小さくするためには、スピンコート法を用いてこれを形成するのが望ましいと考えられる。この場合、インク受理層の表面粗さはその下地の影響を受けるため、平滑な表面が得られる塗布液を選択した場合であっても、形成されたインク受理層の表面粗さは必ずしも小さくならない。このため、高い印刷品質を得ることができないという問題があった。
【０００６】
このように、スピンコート法を用いてインク受理層を形成する場合、その表面粗さを小さくすることは必ずしも容易ではなかった。
【０００７】
また、特開平９−２８８８４７号公報には、着色されたダミー基板を有するＤＶＤ型の光記録媒体が開示されている。
【特許文献１】特開２００２−２３７１０３号公報
【特許文献２】特開平９−２８８８４７号公報
【発明の開示】
【発明が解決しようとする課題】
【０００８】
したがって、本発明の目的は、インク受理層の表面粗さを確実に小さくし、これにより高品質な印刷が可能な情報記録媒体を提供することである。
【課題を解決するための手段】
【０００９】
本発明による情報記録媒体は、支持基板と、データを保持可能な機能層と、前記支持基板からみて前記機能層とは反対側に設けられた透明なインク受理層とを備え、前記支持基板の明度が８以上、彩度が４以下である。本発明において「支持基板」とは、データの記録時及び／又は再生時に照射されるレーザビームの光路となる基板又は層とは異なる基板であって、情報記録媒体の機械的強度を確保可能な厚みを持った基板を指す。したがって、ＤＶＤにあってはいわゆる「ダミー基板」がこれに該当し、次世代型の情報記録媒体にあってはいわゆる「支持基板」がこれに該当する。また、「透明」とは、インク受理層を通して支持基板が視認できることをいう。明度が８以上、彩度が４以下の色としては、ホワイト（色相：Ｎ、明度：９．５、彩度：０（マンセル体系で表記、以下同様））、スノーホワイト（色相：Ｎ、明度：９．５、彩度：０）、ベビーピンク（色相：４Ｒ、明度：８．５、彩度：４．０）、シェルピンク（色相：１０Ｒ、明度：８．５、彩度：３．５）、ネールピンク（色相：１０Ｒ、明度：８．０、彩度：４．０）、ピーチ（色相：３ＹＲ、明度：８．０、彩度：３．５）、エクルベイジュ（色相：７．５ＹＲ、明度：８．５、彩度：４．０）、レグホーン（色相：２．５Ｙ、明度：８．０、彩度：４．０）、クリームイエロー（色相：５Ｙ、明度：８．５、彩度：３．５）、アイボリー（色相：２．５Ｙ、明度：８．５、彩度：１．５）、クールホワイト（色相：１０ＰＢ、明度：９．５、彩度：０．５）、チェリーブロッサム（色相：１０ＲＰ、明度：９．０、彩度：２．５）などを例示することができる。
【００１０】
この場合、前記支持基板の明度が９以上、彩度が３以下であるのが好ましい。明度が９以上、彩度が３以下の色としては、ホワイト（色相：Ｎ、明度：９．５、彩度：０）、スノーホワイト（色相：Ｎ、明度：９．５、彩度：０）、クールホワイト（色相：１０ＰＢ、明度：９．５、彩度：０．５）、チェリーブロッサム（色相：１０ＲＰ、明度：９．０、彩度：２．５）などを例示することができる。
【００１１】
また、前記支持基板の明度が９．２以上、彩度が０．５以下であるのがさらに好ましい。明度が９．２以上、彩度が０．５以下の色としては、ホワイト（色相：Ｎ、明度：９．５、彩度：０）、スノーホワイト（色相：Ｎ、明度：９．５、彩度：０）、クールホワイト（色相：１０ＰＢ、明度：９．５、彩度：０．５）などを例示することができる。
【００１２】
さらに、前記インク受理層の前記表面の平均粗さ（Ｒａ）は０．１μｍ以下であるのが好ましい。
【００１３】
また、前記インク受理層は、前記支持基板の表面に形成されているのが好ましい。
【００１４】
さらに、前記支持基板の前記表面の平均粗さ（Ｒａ）は、０．１μｍ以下であるのが好ましい。
【００１５】
また、前記機能層からみて前記支持基板とは反対側に設けられ、厚さが前記支持基板とほぼ等しい光透過性基板をさらに備えるのが好ましい。
【００１６】
さらに、前記機能層からみて前記支持基板とは反対側に設けられ、厚さが前記支持基板よりも薄い光透過層をさらに備えるのが好ましい。
【００１７】
また、前記機能層は、記録層を含んでいるのが好ましい。この場合、追記型の情報記録媒体（例えば追記型光記録媒体）のように、記録層が有機色素や無機材料を含んで構成されていても構わないし、書き換え型情報記録媒体（例えば書き換え型光記録媒体）のように、記録層が相変化材料を含んで構成されていても構わない。
【発明の効果】
【００１８】
本発明に係る情報記録媒体によれば、支持基板の明度を８以上、彩度を４以下に設定したことにより、支持基板を白色又はこれに近い明るい色にすることができる結果、インク受理層と支持基板との間にホワイトインク層等の着色層を介在させる必要性をなくすことができる。このため、製造工程が簡略化される。さらに、支持基板の表面性がインク受理層に反映されることから、例えば支持基板を射出成型法により作製すれば、インク受理層の表面の平均粗さ（Ｒａ）が極めて小さくなる。このため、インクジェット式のプリンタを用いて印刷を行った場合、銀塩写真に近い発色や光沢を得ることが可能となる。
【００１９】
また、本発明に係る情報記録媒体によれば、支持基板の明度を９以上、彩度を３以下に設定したことにより、より高い印刷品質を得ることが可能となる。さらに、支持基板の明度を９．２以上、彩度を０．５以下に設定することにより、より一層高い印刷品質を得ることが可能となる。
【００２０】
また、本発明に係る情報記録媒体によれば、インク受理層の表面の平均粗さ（Ｒａ）を０．１μｍ以下にしたことにより、プリンタで印刷した場合の印刷品質、特に、発色や光沢を向上させることができ、銀塩写真に近い発色や光沢、いわゆる写真画質を得ることができる。
【００２１】
また、本発明に係る情報記録媒体によれば、支持基板の表面にインク受理層を形成したことにより、支持基板の優れた表面性、例えば平均粗さ（Ｒａ）が０．１μｍ以下である表面性を、インク受理層に確実に反映させることができる。
【００２２】
また、機能層からみて支持基板とは反対側に、厚さが支持基板とほぼ等しい光透過性基板をさらに設ける構成（いわゆるＤＶＤ型の光記録媒体の構成）とすることもできるし、機能層からみて支持基板とは反対側に、厚さが支持基板よりも薄い光透過層をさらに設ける構成（いわゆる次世代型の光記録媒体の構成）とすることもできる。
【００２３】
また、本発明に係る情報記録媒体によれば、機能層に記録層を含むことにより、ユーザによるデータの記録が可能であることから、レーベル面側に高品質な印刷が可能であるという本発明の情報記録媒体の特徴を効果的に発揮することが可能となる。このような記録層は、有機色素を含んで構成される記録層であっても構わないし、相変化材料を含んで構成される記録層でも構わない。
【発明を実施するための最良の形態】
【００２４】
以下、添付図面を参照しながら、本発明の好ましい実施の形態について詳細に説明する。
【００２５】
図１は、本発明の好ましい実施形態による情報記録媒体の構造を概略的に示す断面図である。本実施形態は、本発明をＤＶＤ型の光記録媒体に適用した例である。
【００２６】
本実施形態による光記録媒体１０は、直径が約１２０ｍｍ、厚さが約１．２ｍｍであるディスク状の光記録媒体である。光記録媒体１０は、図１に示すように、光透過性基板１１及びダミー基板（支持基板）１２と、これらの間に設けられた機能層２１、保護層２２及び接着層２３と、ダミー基板１２の表面に設けられたインク受理層２４とを備えて構成されている。データの記録及び／又は再生は、光記録媒体１０を回転させながらレーザビーム３０を光入射面１１ａ側から照射することにより行うことができる。特に限定されるものではないが、レーザビーム３０の波長としては６５０ｎｍ程度に設定される。レーザビーム３０を集束するための対物レンズの開口数としては０．６５程度に設定される。
【００２７】
光透過性基板１１は、レーザビーム３０の波長領域において光透過率が十分に高い材料からなる円盤状の基板である。光透過性基板１１の表面は、レーザビーム３０が入射する光入射面１１ａを構成している。光透過性基板１１は、データの記録時及び／又は再生時に照射されるレーザビーム３０の光路となる。さらに、光透過性基板１１は、光記録媒体１０に求められる機械的強度を確保するための基体としての役割をも果たす。特に限定されるものではないが、光透過性基板１１の厚さは約０．６ｍｍに設定される。光透過性基板１１の材料としては、成形の容易性の観点から樹脂を用いるのが好ましい。光透過性基板１１に用いる樹脂としては、ポリカーボネート樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。中でも、優れた光学特性や加工性を有する等の理由から、ポリカーボネート樹脂又はオレフィン樹脂を用いるのが特に好ましい。
【００２８】
ダミー基板１２は、光記録媒体１０の機械的強度を確保する「支持基板」である。また、ダミー基板１２は光記録媒体１０に求められる厚み（例えば約１．２ｍｍ）を確保する役割をも果たす。ダミー基板１２の表面１２ａには、インク受理層２４が設けられている。特に限定されるものではないが、ダミー基板１２の厚さは光透過性基板１１と同様にして、約０．６ｍｍに設定される。本実施形態では、ダミー基板１２の材料として、光透過性基板１１の好ましい材料として列挙した樹脂が用いられる。さらに、ダミー基板１２は、白色顔料の添加によって白色（色相：Ｎ、明度：９．５、彩度：０）に着色されている。白色顔料としては、酸化チタン、酸化亜鉛、酸化アルミニウム、水酸化アルミニウム、鉛白（塩基性炭酸鉛）、チタン酸ストロンチウム、炭酸カルシウム、マイカ、硫酸バリウム、シリカ、タルク、カリオンクレー、ロー石クレー、ゼオライト等を好ましく挙げることができる。中でも、屈折率が高く、少量で発色できる酸化チタンを選択することが最も好ましい。白色顔料として酸化チタンを用いる場合、その添加量としては５〜１５ｗｔ％程度に設定することが好ましい。また、白の色合いを調整するため、他の発色顔料、有機顔料、染料を併用しても構わない。
【００２９】
ダミー基板１２は、インク受理層２４の下地層としての役割を兼ねている。ダミー基板１２は上述のとおり白色であることから、インク受理層２４への印刷品質を大幅に向上させることが可能となる。ダミー基板１２の表面１２ａの平均粗さ（Ｒａ）はできるかぎり小さいことが好ましく、特に、０．１μｍ以下であるのが非常に好ましい。０．１μｍ以下の表面粗さは、ダミー基板１２を射出成形法により作製することで容易に達成可能である。
【００３０】
機能層２１の構造や材料はディスクの種類によって異なる。ＤＶＤ−ＲＯＭ等のＲＯＭ型ディスクの場合、機能層２１は、図２に示すように、金属を含む反射層２１ａによって構成されることが一般的である。ＤＶＤ−Ｒ等の追記型ディスクの場合、機能層２１は、図３示すように、有機色素を含む記録層２１ｂとその表面に設けられた金属を含む反射層２１ａとによって構成されるのが一般的である。ＤＶＤ−ＲＷ等の書き換え型ディスクの場合、機能層２１は、図４に示すように、相変化材料を含む記録層２１ｂと、これを挟んで設けられた複数の誘電体層２１ｃと、金属を含む反射層２１ａとによって構成されるのが一般的である。ただし、本発明が対象とする光記録媒体は、レーベル面側に印刷を行うことが可能な光記録媒体であることから、追記型ディスク（図３）や書き換え型ディスク（図４）を対象とするのが好適である。
【００３１】
保護層２２は、光透過性基板１１上に設けられた機能層２１を保護するために設けられる層である。保護層２２の材料及び厚さは、機能層２１を物理的・化学的に保護可能である限り特に限定されないが、材料としてはアクリル系又はエポキシ系の紫外線硬化性樹脂を用いるのが好ましい。その厚さは、例えば０．５μｍ以上、１００μｍ以下に設定される。
【００３２】
接着層２３は、光透過性基板１１、機能層２１及び保護層２２からなる積層体とダミー基板１２とを接着するための層である。接着層２３の厚さについては、両者を確実に接着可能である限り特に限定されず、例えば１０μｍ以上、２００μｍ以下に設定すればよい。
【００３３】
インク受理層２４は、光入射面１１ａとは反対側の最外層を構成する層である。インク受理層２４は、インクジェット式のプリンタより供給されるインクを受けてこれを定着させる役割を果たす。本発明では、インク受理層２４を介してダミー基板１２が視認可能である必要があることから、インク受理層２４は透明でる。インク受理層２４の表面２４ａの平均粗さ（Ｒａ）は小さければ小さいほどプリンタで印刷した場合の印刷品質、特に、発色や光沢が向上する。銀塩写真に近い発色や光沢、いわゆる写真画質を得るためには、インク受理層２４の表面２４ａの平均粗さ（Ｒａ）を０．１μｍ以下とするのが好ましい。インク受理層２４の厚さについては特に限定されないが、１０μｍ以上、３０μｍ以下に設定するのが好ましい。インク受理層２４の材料としては、ポリビニルアルコールやポリビニルアセタールなどの親水性樹脂を主成分とし、これにインク定着剤としてのカチオン性ポリマー等が混合された材料を用いるのが好ましい。
【００３４】
インク受理層２４の形成は、スピンコート法又はスリットコート法により行うのが好ましい。スピンコート法とは、よく知られているように、塗布液（溶剤に溶かしたインク受理層２４の材料を水や他の溶剤で希釈した液体）を処理対象物（ダミー基板１２）の表面（１２ａ）の中心又はその近傍に滴下し、処理対象物を回転させ遠心力によって塗布液を外周方向へ塗り拡げる方法である。一方、スリットコート法とは、ヘッドに設けられたスリットから塗布液を供給し、ヘッドと処理対象物との相対的な位置を移動させることによって処理対象物の表面に塗布液を塗り拡げる方法である。
【００３５】
インク受理層２４の形成においてスピンコート法又はスリットコート法を用いるのが好ましいのは、これらの塗布方法を用いることによりその表面２４ａの平均粗さ（Ｒａ）を小さくすることができるからである。スピンコート法又はスリットコート法を用いると、スクリーン印刷法を用いた場合に比べてインク受理層２４の膜厚分布が大きくなる傾向があるが、インク受理層２４が透明であることから、僅かな膜厚分布が印刷品質に影響を与えることはほとんど無い。
【００３６】
スピンコート法又はスリットコート法によりインク受理層２４を形成すると、スクリーン印刷法を用いた場合と異なり、その下地の表面性が大きく反映される。つまり、下地の平均粗さ（Ｒａ）が、ほぼそのままインク受理層２４の表面２４ａの平均粗さ（Ｒａ）となって現れる。しかしながら、本実施形態では、射出成形により作製可能なダミー基板１２自体がインク受理層２４の下地であり、その表面１２ａの平均粗さ（Ｒａ）を容易に０．１μｍ以下とすることが可能であることから、インク受理層２４の表面２４ａの平均粗さ（Ｒａ）についても０．１μｍ以下とすることが可能となる。
【００３７】
このように、本実施形態による光記録媒体１０は、ダミー基板１２が白色に着色されており、これがインク受理層２４の下地として用いられていることから、インク受理層２４の表面２４ａの平均粗さ（Ｒａ）が極めて小さくなる。このためインクジェット式のプリンタを用いて印刷を行った場合、銀塩写真に近い発色や光沢を得ることが可能となる。
【００３８】
図５は、本発明の好ましい他の実施形態による光記録媒体の構造を概略的に示す断面図である。本実施形態は、本発明を次世代型の光記録媒体に適用した例である。
【００３９】
本実施形態による光記録媒体４０は、直径が約１２０ｍｍ、厚さが約１．２ｍｍであるディスク状の光記録媒体である。光記録媒体４０は、図５に示すように、支持基板４１と、光透過層４２と、これらの間に設けられた機能層４３と、支持基板４１の表面４１ａに設けられたインク受理層４４とを備えて構成されている。データの記録及び／又は再生は、光記録媒体４０を回転させながらレーザビーム３０を光入射面４２ａ側から照射することにより行うことができる。特に限定されるものではないが、レーザビーム３０の波長としては４０５ｎｍ程度に設定される。レーザビーム３０を集束するための対物レンズの開口数としては０．８５程度に設定される。
【００４０】
支持基板４１は、光記録媒体４０の機械的強度を確保する役割を果たす。支持基板４１の表面４１ａには、上述のとおりインク受理層４４が設けられている。特に限定されるものではないが、支持基板４１の厚さは約１．１ｍｍに設定される。支持基板４１の材料としては、上述したダミー基板１２と同様の材料が用いられ、ダミー基板１２と同様、酸化チタン等の白色顔料の添加によって白色に着色されている。
【００４１】
光透過層４２は、光入射面４２ａを構成するとともにレーザビーム３０の光路となる層である。光透過層４２の厚さとしては、好ましくは１０〜３００μｍに設定され、より好ましくは５０〜１５０μｍに設定される。光透過層４２の材料としては、使用されるレーザビーム３０の波長領域において光透過率が十分に高い材料である限り特に限定されないが、アクリル系又はエポキシ系の紫外線硬化性樹脂を用いるのが好ましい。また、紫外線硬化性樹脂を硬化させてなる膜のかわりに、光透過性樹脂からなる光透過性シートと各種接着剤や粘着剤を用いて光透過層４２を形成してもよい。
【００４２】
機能層４３の構造や材料はディスクの種類によって異なる。具体的には上記実施形態による機能層２１と同様である（図２〜図４参照）。
【００４３】
インク受理層４４は、光入射面４２ａとは反対側の最外層を構成する層であり、上記実施形態におけるインク受理層２４と全く同じ層である。
【００４４】
本実施形態においても、光記録媒体４０の機械的強度を確保するための支持基板４１がインク受理層４４の下地層としての役割を兼ねており、上述のとおり白色であることから、インク受理層４４への印刷品質を大幅に向上させることが可能となる。また、支持基板４１は、射出成形法により作製することが可能であることから、その表面４１ａの平均粗さ（Ｒａ）を容易に０．１μｍ以下とすることができ、その結果、インク受理層４４の表面４４ａの平均粗さ（Ｒａ）についても容易に０．１μｍ以下とすることが可能となる。
【００４５】
このように、本実施形態による光記録媒体４０は、支持基板４１が白色に着色されており、これがインク受理層４４の下地として用いられていることから、インク受理層４４の表面４４ａの平均粗さ（Ｒａ）が極めて小さくなる。このため、インクジェット式のプリンタを用いて印刷を行った場合、銀塩写真に近い発色や光沢を得ることが可能となる。
【００４６】
本発明は、以上説明した実施の形態に限定されることなく、特許請求の範囲に記載された発明の範囲内で種々の変更が可能であり、それらも本発明の範囲内に包含されるものであることはいうまでもない。
【００４７】
例えば、上記各実施形態では、ポリカーボネート樹脂等の透明材料に白色顔料を添加することよって支持基板（ダミー基板１２又は支持基板４１）を白色に着色しているが、透明材料に白色顔料を添加するのではなく、支持基板自体に白色材料等を用いることによって、支持基板の明度を８以上、彩度を４以下としても構わない。また、支持基板（ダミー基板１２又は支持基板４１）の明度を９以上、彩度を３以下に設定するのが好ましく、この構成によれば、より高い印刷品質を得ることができる。さらに、支持基板（ダミー基板１２又は支持基板４１）の明度を９．２以上、彩度を０．５以下に設定するのがさらに好ましく、この構成によれば、より一層高い印刷品質を得ることができる。
【００４８】
また、上記各実施形態では、支持基板（ダミー基板１２又は支持基板４１）の表面にインク受理層を直接形成しているが、支持基板の表面性がインク受理層に十分反映される限りにおいて、これらの間に他の層を介在させても構わない。また、上記の実施形態では、光記録媒体１０，４０を例に挙げて説明したが、磁気記録媒体などの各種情報記録媒体に本発明を適用することができる。
【図面の簡単な説明】
【００４９】
【図１】本発明の好ましい実施形態による光記録媒体１０の構造を概略的に示す断面図である。
【図２】ＲＯＭ型ディスクにおける機能層２１の構成を示す略断面図である。
【図３】追記型ディスクにおける機能層２１の構成を示す略断面図である。
【図４】書き換え型ディスクにおける機能層２１の構成を示す略断面図である。
【図５】本発明の好ましい他の実施形態による光記録媒体４０の構造を概略的に示す断面図である。
【符号の説明】
【００５０】
１０，４０  光記録媒体
１１  光透過性基板
１２  ダミー基板
２１，４３  機能層
２１ａ  反射層
２１ｂ  記録層
２１ｃ  誘電体層
２２  保護層
２３  接着層
２４，４４  インク受理層
２４ａ，４４ａ  インク受理層の表面
４１  支持基板
４１ａ  支持基板の表面
４２  光透過層
【図１】
2005317193.tif 000003
【図２】
2005317193.tif 000004
【図３】
2005317193.tif 000005
【図４】
2005317193.tif 000006
【図５】
2005317193.tif 000007